(57)【要約】【課題】従来の工具収納棚は、工具の揺れを止める手段を備えていないものが多く、まれにその手段を備えたものがあったが、実施容易でなかったので、この発明は実施容易な工具の揺れ止めを備えた工具収納棚を提供する。【解決手段】工具のチャック部又は円板部を棚板上に置いて工具を棚板に係止させ、工具円板部を棚に付設した１対のガイドで挟むとともに、棚に付設した押さえ具で工具円板部を押さえる。【選択図】図３
2016078163.tif 000002
【特許請求の範囲】
【請求項１】
工具は刃部を下にし、刃部を棚板に設けた係止孔に通し、チャック部又は円板部を棚板上に置いて工具を棚板に係止させ、棚には背面から正面に向かって突出する１対のガイドを設けて工具をガイドの間に位置させ、また棚に背面から正面に向かって突出する押さえ具を付設して、工具円板部を押さえ具で押さえて工具を棚に収納することを特徴とする工具の収納方法。
【請求項２】
前記ガイドは、その一部を工具円板部と同じ高さのところに位置させることを特徴とする、請求項１に記載の工具の収納方法。
【請求項３】
前記ガイドと押さえ具とを同じ１つの縦板に付設し、縦板を棚の背面で上下に移動させて工具円板部を押さえ具で押さえることを特徴とする、請求項１又は２に記載の工具の収納方法。
【請求項４】
前記工具を棚板に係止させるにあたり、工具の１つのドライブキー溝を棚の正面に向けておき、棚の背面に位置するもう１つのドライブキー溝に押さえ具の先端を嵌入させることを特徴とする、請求項１−３の何れか１つの項に記載の工具の収納方法。
【請求項５】
左右に立設した支柱に棚板をさしわたし固定して棚とし、棚板に係止孔を設けて係止孔の幅を工具の刃部を通過させるが工具のチャック部又は円板部を通過させない大きさとし、棚板の上方には係止孔の両側に棚の背面から正面に向かって突出する１対のガイドを付設するとともに、棚の背面から係止孔の上方延長空間へ突出する押さえ具を上記１対のガイドの間に付設したことを特徴とする工具収納棚。
【請求項６】
左右に立設した支柱に、水平部と垂直部とからなる断面Ｌ形の棚板をさしわたし固定して棚とし、棚板の水平部に係止孔を設けて係止孔の幅を工具の刃部を通過させるが、工具のチャック部又は円板部を通過せない大きさとし、垂直部の表面に摺動板を上下に移動可能に付設し、摺動板には係止孔の両側に棚の正面に向かって突出する１対のガイドを付設するとともに、棚の背面から係止孔の上方延長空間へ突出する押さえ具を上記１対のガイドの間に付設したことを特徴とする工具収納棚。
【請求項７】
前記係止孔は、棚板又は棚板の水平部の棚正面がわの側縁で開口して平面視がＵ字状の孔であることを特徴とする、請求項５又は６に記載の工具収納棚。
【請求項８】
前記係止孔が棚板又は棚板水平部の内部に設けた平面視丸形の孔であることを特徴とする、請求項５又は６に記載の工具収納棚。
【請求項９】
前記棚板は、棚の奥ほど下がる傾斜をもっていることを特徴とする、請求項５−８の何れか１つの項に記載の工具収納棚。
【請求項１０】
前記棚板を複数段にわたって付設し、隣り合った棚板の間では、１つの棚板に設けた係止孔が、他の棚板に設けた係止孔とジグザグになるように配置したことを特徴とする、請求項５−９の何れか１つの項に記載の工具収納棚。
【請求項１１】
前記棚板を複数段にわたって付設し、下方の棚板ほど棚の正面がわへ突出する雛壇式に配置したことを特徴とする、請求項５−１０の何れか１つの項に記載の工具収納棚。
【請求項１２】
前記棚板又は棚板の水平部の上に係止孔を付設したカバーを設けたことを特徴とする、請求項５−１１の何れか１つの項に記載の工具収納棚。
【請求項１３】
請求項５−１２の何れか１つの項に記載の工具収納棚の下部にキャスターを付設してなる工具収納ワゴン。
【発明の詳細な説明】
【技術分野】
【０００１】
この発明は、一般にツーリングと呼ばれる工具収納棚に関するものであり、また工具収納方法に関するものである。また、この発明は、工具収納棚の下部にキャスターを付設して工具収納棚を移動自在とした工具収納ワゴンに関するものである。工具収納ワゴンは一般にツーリングワゴンと呼ばれている。
【背景技術】
【０００２】
工具収納棚は、機械工場で旋盤、フライス盤、ボール盤などの工作機械に使用される種々の工具、いわゆるツールを、再使用に便利な状態で安全に収納するための道具である。
工具には色々な形状のものがある。基本的には、工具は図１の（ａ）に示したように、一端に金属を切削するための刃部Ｐを備え、他端に工作機械に取り付けるためのシャンク部Ｑを備え、刃部Ｐとシャンク部Ｑとの間に円板部Ｒを備えた形状のものとされる。このうち刃部Ｐは、目的に応じて形状が大きく変わるから、工具は全体として凡百の形状を取ることになる。
【０００３】
工具は、刃部を除いてもなお多くの形状を取るものである。例えば、工具には図１の（ａ）に示した基本形状に、さらにチャック部の付加されたものがある。すなわち、図１の（ｂ）に示したように、刃部Ｐと円板部Ｒとの間にチャック部Ｓの付加された工具がある。さらに、チャック部Ｓは、図１の（ｃ）に示したように高さの高いものや、また低いものもある。従って、工具は刃部以外の部分でも多くの形状を持つことになる。工具収納装置は、このような色々な形状のものをすべて容易に安全に収納するものでなければならない。
【０００４】
しかし、工具はその一部を見ると、同じ形状の部分を備えている。例えば、シャンク部Ｑと円板部Ｒとはすべての工具を通して同じ大きさと同じ形状にされている。すなわち、シャンク部Ｑは同じ頂角を持った円錐台状にされ、先端には植込みボルト挿入用の雌ねじＸが形成されている。円板部Ｒは、工具の軸に垂直な方向に大きく食み出し、上下の表面Ｕが何れも平坦な円環状平面とされている。また、チャック部Ｓも刃部Ｐに向く表面Ｔは平坦な円環状面とされている。また、円板部Ｒの外周面には同じ幅と深さとを持った円環状の溝Ｗが形成されている。さらに、その外周面にはシャンク部がわから軸方向に延びるドライブキー溝Ｖが、直径方向に向き合う位置に２箇付設されている。
【０００５】
工具は、上記の各部が特殊鋼で作られて一体となったものである。従って、工具は重量が大きく、小形のものでも数キログラムの重量を持っている。そのため、取り扱いには大きな力が必要とされる。また、刃部Ｐは鋭利な刃部を持ち、刃部が固い他物に触れると損傷し易く、損傷すると使用に適さなくなるため、その取り扱いには細心の注意を要する。従って、工具の収納はなるべく簡単であって、取り出しも容易でなければならない。
【０００６】
工具を収納する装置としては色々な形状のものが提案されている。例えば、箱状、テーブル状、棚状などがある。そのうち、最も多いのは棚の形をしたものである。棚の形をしたものは、左右に支柱を立設し、その間に棚板をさしわたして固定したものである。棚板には孔をあけ、孔内に工具を一箇ずつ挿入して収納することとしている。
棚板にあける孔としては、棚板の側縁に開口を持った平面視Ｕ字状の孔と、棚板の真中にあけた平面視円形の孔との２種類の孔がある。このうち、Ｕ字状の孔は、工具を水平に移動させてＵの開口から工具の一部を孔内に挿入し、工具を棚板に係止させるものである。他方、丸孔は工具を垂直に移動させて、工具の一端を丸孔内に落とし込み、円板部又はチャック部の環状平面を丸孔の縁に係止させるものである。
【０００７】
特開平１０−２９１７６号公報は、工具のシャンク部Ｑを合成樹脂製の筒状物に挿入し、その筒状物を棚板にあけた丸孔内に挿入し、刃部を上にしてシャンク部がわの円板部平面Ｔを丸孔の周縁に係止させて、工具を棚に収納する収納棚を開示している。
しかし、この収納棚では合成樹脂製筒状物を別に用意する必要があって、収納に費用と手間がかかるという難点がある。また、この収納棚では工具の揺れを止めることが全く考慮されていないため、地震などの場合には、工具が倒れたり、工具が丸孔から飛び出して、刃部を損傷する危険を孕んでいる。
【０００８】
特開平１１−５８２６９号公報は、棚板として合成樹脂製の成形品を用いることを特徴とした工具収納棚を開示している。この収納棚の収納方法は、棚板の側縁に開口を持った平面視Ｕ字状の孔を設け、Ｕ字状孔の周縁を工具円板部の外周にある環状溝Ｗに嵌入させて、工具を棚板に係止させることとしている。
しかし、Ｕ字状孔の周縁を工具円板部の環状溝Ｗに嵌入させて、工具を棚板に係止させただけでは、工具の揺れを止めることは困難である。従って、地震などの場合には、工具が倒れたり脱落したりして刃部を損傷する危険を孕んでいる。
【０００９】
特開２０００−２１８５７４号公報は、棚板の側縁で開口する平面視Ｕ字状の孔を棚板に設け、他方、工具にはシャンク部の先端に植込みボルトを付設し、植込みボルトの首部を上記Ｕ字状の孔内に挿入し、工具を棚板から吊り下げた状態で収納する棚を開示している。また、この公報は、棚板の下方に割れ目を持った円環状の金具を付設し、金具を工具円板部Ｒの環状溝Ｗ内に嵌入させて、工具の揺れを止めることを提案している。
【００１０】
しかし、この収納棚では、収納のたびごとに植込みボルトを着脱させなければならないため、収納及び取り出しに手間を要するという欠点がある。また、この収納棚では、工具の揺れを止めるようにはなっているが、その実施は容易でない。なぜならば、揺れを止めるには円環状金具の割れ目を開いて金具を工具円板部の環状溝Ｗ内に挿入しなければならないところ、環状溝Ｗが直径の大きな溝であるため、割れ目を開いて環状溝内に挿入することが容易でないからである。また、逆に金具を工具から外すことも容易でないからである。
【先行技術文献】
【特許文献】
【００１１】
【特許文献１】特開平１０−２９１７６号公報
【特許文献２】特開平１１−５８２６９号公報
【特許文献３】特開２０００−２１８５７４号公報
【発明の概要】
【発明が解決しようとする課題】
【００１２】
上述のように、従来の工具収納棚は、地震などの場合に、工具の揺れを止める対策を採っていないものが多かった。まれに揺れを止める手段を採ったものがあったが、その手段を実施するのが容易でなかった。そこで、この発明は実施容易な工具の揺れ止め手段を備えた工具収納棚を提供しようとするものである。
【課題を解決するための手段】
【００１３】
この発明者は、工具の転倒を止めるには、工具の刃部を下にし、工具のチャック部又は円板部を棚板上に置いて工具を棚板に係止させるのが有効であり、また、棚には背面から正面に向かって突出する１対のガイドと、ガイドの中間に押さえ具を付設しておき、１対のガイドの間に工具を位置させるとともに、工具は円板部を押さえ具により押さえるのが有効であることを見出した。この発明は、このような知見に基づいて完成されたものである。
【００１４】
この発明は、工具は刃部を下にし、刃部を棚板に設けた係止孔に通し、チャック部又は円板部を棚板上に置いて工具を棚板に係止させ、棚には背面から正面に向かって突出する１対のガイドを設けて工具をガイドの間に位置させ、また棚に背面から正面に向かって突出する押さえ具を付設して、工具円板部を押さえ具で押さえて工具を棚に収納することを特徴とする工具の収納方法を提供するものである。
【００１５】
また、この発明は上記の方法により工具を収納するに適した工具収納棚を提供するものである。その工具収納棚は、左右に立設した支柱に棚板をさしわたし固定して棚とし、棚板に係止孔を設けて係止孔の幅を工具の刃部を通過させるが、工具のチャック部又は円板部を通過させない大きさとし、棚板の上方には係止孔の両側に棚の背面から正面に向かって突出する１対のガイドを付設するとともに、棚の背面から係止孔の上方延長空間へ突出する押さえ具を上記１対のガイドの間に付設したことを特徴するものである。
【００１６】
上記の工具収納棚では、ガイドは工具の円板部と同じ高さのところに位置させる。従って、ガイドは押さえ具とほぼ同じ高さのところに位置することになる。それゆえ、この発明ではガイドと押さえ具とを１つの縦板に付設しておくことができる。そして、工具円板部が高さを変えるのにつれて、縦板を上下に移動させてガイドと押さえ具とをそれぞれ工具円板部に近接又は当接させることとする。
【発明の効果】
【００１７】
この発明方法によれば、工具は刃部を下にしてチャック部又は円板部を棚板上に置いて棚板に係止させるので、工具はチャック部又は円板部の環状平面Ｔ又はＵを棚板に接触して、棚板に係止される。従って、工具は一応安定な状態で棚板に係止される。
また、この発明方法によれば、棚には背面から正面に向かって突出する１対のガイドを設けて、工具をガイドの間に置くので、工具は棚の左右方向へ大きく傾くのを抑制される。従って、工具は左右方向に転倒することを防がれる。
【００１８】
さらに、この発明方法によれば、棚には背面から正面に向かって突出する押さえ具を付設して、工具円板部を押さえ具で押さえるので、工具は棚の正面方向及び背面方向へ傾くのを押さえ具によって抑制される。従って、工具は棚の前後方向に転倒することを防がれる。
こうして工具は棚の左右及び前後方向に転倒することを防がれるから、地震などによって棚が大きく振動しても、工具は転倒しないものとなる。
【００１９】
また、この発明に係る工具収納棚では、左右に立設した支柱に棚板をさしわたし固定して棚とし、棚板に係止孔を設けて係止孔の幅を工具の刃部を通過させるが工具のチャック部又は円板部を通過させない大きさとしたので、工具は刃部を下にして刃部を係止孔に通すと、工具はチャック部又は円板部を棚板上に置いて棚板に係止され、チャック部又は円板部の棚板への接触面は環状の平面であるから工具は一応棚板上に安定な状態で係止される。
また、この発明に係る工具収納棚では、棚板の上方には、係止孔の両側に棚の背面から正面に向かって突出する１対のガイドを付設したので、係止孔に係止された工具は棚の左右方向に大きく傾くことを抑制されることになり、従って工具は左右に転倒することが防がれる。
【００２０】
さらに、この発明に係る工具収納棚では、棚の上方には棚の背面から係止孔の上方延長空間へ突出する押さえ具を１対のガイドの間に付設したので、係止孔に係止された工具は、円板部の背面がわの１部を押さえ具によって押さえられる。押さえ具に押さえられた工具は棚の正面方向及び背面方向へ傾くことを抑制され、従って工具は棚の前後方向に転倒しなくなる。こうして、この発明に係る工具収納棚は、収納した工具を安全に収納できるものとなっている。
この発明は上述のような効果をもたらすものである。
【図面の簡単な説明】
【００２１】
【図１】図１は、各種工具の側面図である。
【図２】図２は、この発明に係る工具収納棚を示し、そのうちの（ａ）は棚の正面であり、（ｂ）は右側面図である。
【図３】図３は、この発明に係る工具収納棚の棚板の一部切欠斜視図である。
【図４】図４は、図１の（ａ）に示した工具を図３に示した棚板に収納した状態を示し、（ａ）は収納状態の正面図、（ｂ）は同平面図、（ｃ）は同側面図である。
【図５】図５は、図１の（ｂ）に示した工具を図３に示した棚板に収納した状態を示し、（ａ）は収納状態の正面図、（ｂ）は同平面図、（ｃ）は同側面図である。
【図６】図６は、図１の（ｃ）に示した工具を図３に示した棚板に収納した状態を示し、（ａ）は収納状態の正面図、（ｂ）は同平面図、（ｃ）は同側面図である。
【図７】図７は、この発明に係るさらに別の工具収納棚の棚板を示し、（ａ）は棚板の一部切欠正面図であり、（ｂ）は棚板の一部切欠側面図である。
【発明を実施するための形態】
【００２２】
この発明に係る工具収納方法を理解するには、まず工具収納棚を説明した方が判り易いと考えられるので、最初に工具収納棚の構造について図面に基づき説明する。
図２はこの発明に係る工具収納棚を示している。図２に示した工具収納棚は、金属板の加工によって作られている。すなわち、支柱１は図２の（ｂ）に示したように直角台形の板であり、天板２及び底板３は、何れも長方形の板である。この工具収納棚は、支柱１を左右に立設し、支柱１の上端を天板２で接続するとともに、支柱１の下端を底板３で接続して正面視で方形の枠を作り、方形の枠内に棚板４をさしわたし固定して作られている。図２の棚板４の一部には工具Ａが収納されている。
【００２３】
なお、図２に示した工具収納棚は、棚の下部に自在キャスター６を付設して、棚を希望する方向に自在に進行させることができる、工具収納ワゴンとなっている。
図３は、この発明に係る工具収納棚で用いられる棚板の一部を切欠して示している。図３に示した棚板は、断面がＬ字状に折曲されて、水平部４１と垂直部４５とで構成されている。水平部４１は、従来の棚板に相当する部分であり、垂直部４５は棚の背板に相当する部分である。垂直部４５の先端４６は断面コの字状に折曲されて、補強されている。
【００２４】
図３の棚板では、水平部４１に係止孔４２が付設されている。係止孔４２は、棚板の正面がわの側縁で開口し、平面視がＵ字状にされている。係止孔４２の開口幅Ｙは、工具の刃部Ｐを通過させるが、刃部根元を支えているチャック部Ｓ又は円板部Ｒを通過させない大きさにされている。
棚板４の水平部４１の両端には、固定部４３が付設されている。棚板４は、垂直部４５を棚の背面がわに向けて固定部４３を支柱１にネジ止めすることにより、支柱１、天板２及び底板３からなる方形枠に固定されて、棚を構成する。
【００２５】
水平部４１の正面がわの側縁には補強片４７が付設されている。補強片４７は、係止孔４２へ工具を挿入するとき、挿入の妨げにならないように、係止孔４２の開口端から僅かに離れたところに端を置くのが好ましいが、補強片４７が高さの低いものであるときは、工具を持ち上げて係止孔４２に挿入できるので、係止孔４２の開口端まで補強片４７を設けてもよい。このとき、補強片４７は工具の滑り止めとして働くことになる。
【００２６】
図３の棚板４では垂直部４５の表側に摺動板５が付設されている。摺動板５は、垂直部４５の表面に沿って上下に移動できるようにされている。そのために、摺動板５には垂直方向に長い長孔５１が付設され、他方、垂直部４５には長孔５１と重なる位置にネジ孔４４が付設されている。そして、長孔５１とネジ孔４４にはボルト５２が通されて、ボルト５２の締め付けによって摺動板５は垂直部４５の適所に固定できるようになっている。
【００２７】
摺動板５には、工具の大きな傾きを防ぐためにガイドが付設されている。ガイド５５は、棚板４の背面がわから正面がわに向かって突出している。ガイド５５は、その一部が、工具円板部Ｒと同じ高さのところにあって、工具円板部に近接している。近接の程度は、工具が約１０度の角度だけ傾いたときに、工具円板部がガイド５５の一部に接触して、それ以上の傾きを押さえるようにする。
【００２８】
ガイド５５は各係止孔４２の両側に付設されるのが原則であるが、隣り合った係止孔４２の間では、係止孔４２の中間に唯１箇のガイドを付設するにとどめる。ガイド５５は、図３では金属パイプをＵ字状に折曲したもので構成されているが、ガイド５５は一枚の板又は一本の棒であってもよい。金属パイプをＵ字状に折曲したガイドでは、Ｕの上片が工具円板部Ｒに近接していても、またＵの下片が工具円板部に近接していてもよい。要するにガイドの一部が円板部に近接していればよい。
【００２９】
また、摺動板５には押さえ具５６が棚の正面がわに向かって突設されている。図３に示した押さえ具５６の先端５６２は、図１に示した工具円板部Ｒのシャンク部Ｑに向かう環状平面Ｕを上から押さえるためのものであって、係止孔４２の上方延長空間内へ突出している。図３に示した押さえ具５６は、本来金属で構成されるが、その先端５６２は、工具円板部Ｒの表面で滑らないで表面をしっかりと押さえるために、合成樹脂又はゴムで構成することが好ましい。
【００３０】
押さえ具５６は、上述のように、工具円板部Ｒの環状平面Ｕを押すことを主たる目的とするが、円板部Ｒのドライブキー溝Ｖに嵌入して工具の揺れを止めてもよい。このためには、工具では一般にドライブキー溝Ｖが工具円板部Ｒの外周に、直径的に対向して２箇付設されている関係を利用して、１つのドライブキー溝Ｖを棚の正面に向けると、もう１つのドライブキー溝が棚の背面に位置することになるので、押さえ具を背面のドライブキー溝に容易に嵌入させることができる。
【００３１】
ドライブキー溝Ｖに嵌入された押さえ具は、工具が棚の前後方向だけでなく、左右方向にも傾くのを抑制するので、この発明では押さえ具がドライブキー溝に嵌入しただけの状態も、押さえ具が工具円板部を押さえるという中に含めるものとする。
この発明に係る工具収納棚では、ガイド５５と押さえ具５６とが同じ１つの摺動板５に付設されている。従って、ガイド５５を上下させることにより、押さえ具５６を上下に移動させることができる。またボルト５２を締めることにより、ガイド５５と押さえ具５６とを一体にして水平部４１から適当な高さのところに固定することができる。
【００３２】
一般に、工具はすべて円板部Ｒを持ち、しかも円板部Ｒの形状と大きさは、すべて殆ど同じである。従って、押さえ具５６とガイド５５とは摺動板５上に一定の位置関係に付設しておけば、すべての工具に対して適用することができる。
こうして、ガイド５５と押さえ５６とが付設された摺動板５を、棚板４の垂直部４５上に上下に摺動可能に付設し、これを図２に示した支柱１、天板２及び底板３からなる方形枠の中にさしわたし固定して、この発明に係る工具収納棚とする。
【００３３】
この発明に係る工具収納棚に工具を収納するには、まずボルト５２をゆるめてガイド５５を適当な位置まで持ち上げて、摺動板とともに押さえ具５６を適所に固定する。次いで工具の刃部を下にして刃部根元を棚板４の係止孔４２に挿入し、工具のチャック部又は円板部を棚板４の水平部４１上に置いて工具を棚板４に係止させる。その後、ボルト５２をゆるめてガイド５５を降下させ、押さえ具５６を工具円板部Ｒの環状平面Ｕに密接させ、あとはボルト５２を締め付けるだけで工具を収納することができる。
【００３４】
こうして収納された状態では、工具は棚の正面方向及び背面方向に傾くのが、押さえ具５６によって抑制される。また、工具は、棚の左右方向への大きな傾きはガイド５５によって抑制される。そのため、工具は棚板４上で転倒することが防がれる。その結果、地震などが起きても、工具は安全に保管される。
さらに、この収納棚から工具を取り出して再び使用に供することも容易である。なぜならば、ボルト５２をゆるめて、ガイド５５を僅かに上昇させるだけで、工具を収納棚から取り出すことができるからである。従って、この発明方法によれば、工具を簡単に収納できて安全に保管し、さらに再使用も容易である、という利益が得られる。
【００３５】
図４は、図１の（ａ）に示した工具をこの発明に係る工具収納棚に、この発明方法に従って収納した状態を示している。図４中の（ａ）は棚板の一部切欠正面図であり、（ｂ）は同平面図であり、（ｃ）は側面図である。
図４ではガイド５５として（ｃ）に示すようにＵ字状に曲げられた金属管を使用している。収納された工具は、（ａ）と（ｃ）に示すように、工具円板部ＲをＵ字状ガイド５５の下片に近接させて左右に大きく傾くことを抑制されている。また、工具は（ｂ）と（ｃ）に示すように、押さえ具５６によって工具円板部Ｒの環状平面Ｕが押さえられて、前後方向に傾くことを抑制されている。このため、工具は棚板４が振動しても転倒することが防がれる。
【００３６】
図１の（ｂ）に示した工具は、図１の（ａ）に示した工具に比べると、チャック部Ｓが新たに加えられ、チャック部Ｓの分だけ長いものになっている。そこで、図５ではガイド５５の上片が工具円板部Ｒに近接するような摺動板を用いて、工具の刃部根元を棚板の係止孔２１に挿入している。すると、工具は図５の（ａ）に示すように、チャック部Ｓを棚板上に置いて棚板４に係止される。
【００３７】
この係止状態では、図５の（ａ）と（ｃ）に示すように、ガイド５５の上片が工具円板部Ｒの外周に近接し、また図５の（ｂ）と（ｃ）に示すように、押さえ具５６が円板部Ｒの環状平面Ｕを下へ押し付けている。従って、ガイド５５と押さえ具５６が工具の傾きを抑制する関係は、図４に示した関係と全く同じである。
こうして、この発明に係る工具収納棚は、チャック部の有無に拘らず、工具を同じように安定な状態で収納することができる。
【００３８】
図６は図５と同じ摺動板を用いて、図１の（ｃ）に示した工具をこの発明に係る工具収納棚に、この発明の方法に従って収納した状態を示している。図６中の（ａ）は棚板の一部切欠正面図であり、（ｂ）は同平面図、（ｃ）は同側面図である。図（ｃ）ではさらにガイド５５の上片の一部を切欠している。
図６では、工具のチャック部Ｓが高さの大きいものになっているので、摺動板を高さの違い分だけ上昇させて工具を収納している。図６では、ガイド５５の上片が工具円板部Ｒの外周に近接して工具の大きな傾きを抑制し、押さえ具５６が円板部Ｒの環状平面Ｕを押し付けて工具の前後方向への傾きを抑制している。これらのことは、図４及び図５に示したものと同じである。
【００３９】
但し、図６に示した例では、押さえ具５６が、図４及び図５に示した例では言及しなかった作用を果たしている。その作用は図６の押さえ具５６が、ただ環状平面Ｕを押し付けるだけでなく、工具のドライブキー溝に嵌入して、工具の傾きを一層強く抑制しているということである。
詳述すると、図６の（ａ）では、工具のドライブキー溝Ｖが棚の正面に向かっている。工具はさきに説明したように、一般に円板部の外周に、ドライブキー溝Ｖを備えている。ドライブキー溝Ｖは円板部の外周に直径的に対向する位置に２箇設けられているから、１つのドライブキー溝Ｖを棚の正面に向ければ、必ず棚の背面にもう１つのドライブキー溝が存在する。そこで、図６の例では、（ｂ）に示すように、押さえ具５６の下端を背面に位置するドライブキー溝に嵌入させている。その結果、押さえ具５６が円板部Ｒの環状平面Ｕ上で横方向にすべるのを防いで押さえ具５６の押さえを一層確実にしている。
【００４０】
図７は、棚板４の水平部４１の上に、金属製のカバー８を付設することを示している。一般に、棚板の上に工具を係止させるときには、棚板は、工具の重量によって傷つき易い。そこで、水平部４１の上にカバー８を付設すると、水平部４１が工具に擦られて傷つくのを防ぐことができる。そのほか、カバー８は水平部４１が工具の重量によって大きく撓むのを防ぐ効果ももっている。
【００４１】
また、この発明に係る工具収納棚では、図２の（ａ）に示したように、棚の正面から見て、上下に隣り合った棚板の間では、１つの棚板４に設けた係止孔４２が、すべて他の棚板４に設けた係止孔４２と千鳥掛け（すなわち、ジグザグ状）になるように配置して、上の段に収納した工具が下の段に収納した工具と衝突しないようにすることが好ましい。
また、この発明に係る工具収納棚では図２の（ｂ）に示したように、支柱１を直角台形にして棚板４を下ほど正面がわへ突出するように雛壇式に配置して、上の段に収納した工具が下の段に収納した工具と衝突しないようにすることが好ましい。また、各棚は奥ほど下に下がるような僅かな傾斜をつけて、工具の収納を容易にするとともに工具の係止孔からの脱出を防ぐことが好ましい。その傾斜角度は鉛直に対して１０〜１５度の範囲、とりわけ１３度とすることが好ましい。
【００４２】
この発明に係る工具収納方法及び工具収納棚は、簡単に工具を収納でき、収納した状態では工具の揺れが抑制されるから、地震などによって収納棚が揺れても、工具が転倒したり脱落したりすることが防がれ、従って安定した状態で工具を収納でき、さらに収納棚から工具を取り出して使用することも容易である。従って、この発明は実用に適している。
【符号の説明】
【００４３】
１                   支柱
２                   天板
３                   底板
４                   棚板
５                   摺動板
６                   背板
７                   キャスター
８                   カバー
４１                 水平部
４２                 係止孔
４３                 固定部
４４                 ネジ孔
４５                 垂直部
４６                 垂直部先端
４７                 補強片
５１                 長孔
５２                 ボルト
５５                 ガイド
５６                 押さえ具
５６１               ボルト
Ａ                   工具
Ｐ                   工具の刃部
Ｑ                   工具のシャンク部
Ｒ                   工具の円板部
Ｓ                   工具のチャック部
Ｔ                   チャック部の環状平面
Ｕ                   円板部の環状平面
Ｖ                   ドライブキー溝
Ｗ                   円環状溝
Ｘ                   雌ねじ孔
Ｙ                   係止孔４２の幅
Ｚ                   係止孔４２の上方延長空間
【図１】
2016078163.tif 000003
【図２】
2016078163.tif 000004
【図３】
2016078163.tif 000005
【図４】
2016078163.tif 000006
【図５】
2016078163.tif 000007
【図６】
2016078163.tif 000008
【図７】
2016078163.tif 000009